Podtech/llm-jp-corpus-v4-ja_patent huggingface dataset:
(57)【要約】【課題】仕事やスポーツで頭にタオルを巻いているものを、見た目も機能も良くする。【解決手段】帽子をタオル生地で作る事により、防寒や日差しを防ぐとともに、汗を拭く事が出来る帽子になる。【選択図】なし【特許請求の範囲】
【請求項１】
ニット帽、キャップを作る際、生地にタオルを使い頭の汗を吸収する帽子、又は汗を拭くタオルとして使える帽子。
【発明の詳細な説明】
【発明詳細な説明】
【技術分野】
【０００１】本発明は、帽子を作る際、タオル生地を利用し仕事やスポーツの時に汗等を拭けるようにしたものである。
【背景技術】
【０００２】従来は、ニット帽やキャップは頭の寒さを防ぐ物や、太陽の日差しを防ぐ物で、タオルは汗等を拭くものであった。
【発明を実施するための最良の形態】
【０００３】本発明は、仕事をする時や、スポーツをする時、タオルを頭に巻き汗を吸収するようにしているのを、キャップ１やニット帽２をタオル生地で作る事によって、見た目も機能も従来より便利になったものである。
【発明の効果】
【０００４】この発明品を被っていれば、帽子としての効果もあり、タオルを持たなくても汗を拭けるようになる。
【図面の簡単な説明】
【図１】帽子の種類
【符号の種類】
１  キャップ型
２  ニット帽
2005232662.tif 000002
【手続補正書】
【提出日】平成16年5月21日(2004.5.21)
【手続補正１】
【補正対象書類名】明細書
【補正対象項目名】全文
【補正方法】変更
【補正の内容】
【発明の詳細な説明】
【技術分野】
【０００１】本発明は、帽子を作る際、タオル生地を利用し仕事やスポーツの時に汗等を拭けるようにしたものである。
【背景技術】
【０００２】従来は、ニット帽やキャップは頭の寒さを防ぐものや、太陽の日差しを防ぐものでタオルは汗等を拭くものであった。
【発明を実施するための最良の形態】
【０００３】本発明は、仕事をする時や、スポーツをする時、タオルを頭に巻き汗を吸収するようにしているのを、キャップ（図１）や、ニット帽（図２）を、タオル生地で作る事によって、見た目も機能も従来より便利になったものである。
【発明の効果】
【０００４】この発明品を被っていれば、帽子としての効果もあり、タオルを持たなくても汗を拭けるようになる。
【図面の簡単な説明】
【０００５】
【図１】キャップ型帽子
【図２】ニット帽子型
【符号の説明】
【手続補正２】
【補正対象書類名】図面
【補正対象項目名】全図
【補正方法】変更
【補正の内容】
【図１】
2005232662.tif 000003
【図２】
2005232662.tif 000004
(57)【要約】【課題】雨雪時の収納庫の利用を簡便化し、通路の通風環境や採光環境を向上させる収納庫用屋根を提供する。【解決手段】収納庫１２に隣接した通路１４に支柱１８を立設させ、前記支柱１８上に横架部材２０が固着され、前記横架部材２０の上に透光性部材を用いた屋根２６が構成される。前記屋根２６が前記収納庫１２の軒１６を覆うように配設されることで、収納庫用屋根１０と前記収納庫１２の上面との間に通風路２８が構成される。【選択図】図１
2005232688.tif 000002
【特許請求の範囲】
【請求項１】
収納庫の一部及び収納庫間に形成された通路を覆う収納庫用屋根であって、
屋根は横架部材に固着され、
前記横架部材は、地面に立設された支柱によって保持され、
前記屋根と前記収納庫上面との間に通風路が構成されること
を特徴とする収納庫用屋根。
【請求項２】
請求項１記載の収納庫用屋根において、
屋根は水平に固着されること
を特徴とする収納庫用屋根。
【請求項３】
請求項１又は２記載の収納庫用屋根において、
屋根は透光性部材によって構成されること
を特徴とする収納庫用屋根。
【発明の詳細な説明】
【技術分野】
【０００１】
本発明は、アーケード状の収納庫用屋根に関し、特にユニット型収納庫に対して好適に用いられる収納庫用屋根の構造に関する。
【背景技術】
【０００２】
従来からアパートやマンションのような集合住宅において、居住者（利用者）の利便のために、敷地内に複数の収納庫を集合させて設置する場合がある。
【０００３】
一方、期間によって用途が変更される可能性のある土地において、移設可能なユニット型収納庫を複数設置し、収納スペースを得ることがある。
【０００４】
前記のような収納庫には、例えば、２０ｃｍ程度の軒が本体から突出して形成されているが、雨天時あるいは降雪時に、前記軒によって利用者を雨雪等から保護することは困難である。
【０００５】
そこで、従来技術として、離間した仮設ユニットハウス間に架設するアーケードルーフがある（特許文献１）。
【０００６】
前記アーケードルーフは、一対のフレーム部と、前記フレーム部の上端間を揺動自在に連結するヒンジ連結部と、前記フレーム部の下端に取り付けられて仮設ユニットハウスに結合される取付手段と、前記フレーム部を連続して覆うテント地を備えることを特徴とする。
【０００７】
前記特許文献１には、前記アーケードルーフにより、隣接する仮設ユニットハウス間にアーケードルーフを設置し、利用者を雨水等から保護することが可能になる技術が開示されている。
【０００８】
【特許文献１】特開２０００−０１７７３３
【発明の開示】
【発明が解決しようとする課題】
【０００９】
しかしながら、前記アーケードルーフは、対面する仮設ユニットハウス間に橋架することによって設置されるため、該仮設ユニットハウスが隣接して一列に並設される場合には、前記アーケードルーフを設置することが不可能である。
【００１０】
また、テント地によってルーフ部分が構成されているため、積雪や強風等に対して強度が不足するおそれがある。
【００１１】
さらにまた、前記ルーフ部分がテント地によって構成されるため、透光性が低くなり、ルーフ部分で覆われた通路が暗くなるというおそれがある。
【００１２】
本発明の目的は、収納庫の利用者を雨雪等から保護すると共に、収納庫スペースの通路の通風環境や採光環境を向上させ、且つ、強度に優れた収納庫用屋根を提供することにある。
【課題を解決するための手段】
【００１３】
本発明にかかる収納庫用屋根は、収納庫の一部及び収納庫間に形成された通路を覆う収納庫用屋根であって、前記屋根は横架部材に固着され、前記横架部材は、地面に立設された支柱によって保持され、前記屋根と前記収納庫上面との間に通風路が構成されることを特徴とする。
【００１４】
また、前記屋根は水平に固着されることを特徴とし、さらに、透光性部材によって構成されることを特徴とする。
【発明の効果】
【００１５】
本発明によれば、屋根が通路を覆うように設けられるために、収納庫の利用者を雨雪等から保護することが可能となり、雨天時や降雪時の収納庫の利用を簡便化することができ、また収納庫上面と屋根との間に通風路が形成されるため、塵埃、落葉等がその上面に載積されることなく清潔さを向上させることができる。
【００１６】
さらに、屋根は地面に立設された支柱と、前記支柱に固着された横架部材によって堅固に構成されるため、降雪や強風に対しても十分な強度を備え、また前記屋根が透光性部材によって構成されることで、収納庫間の通路の採光環境を向上させることができる。
【発明を実施するための最良の形態】
【００１７】
図１〜図２において、参照符号１０は収納庫用屋根を示す。複数の収納庫１２が直列上に設置される土地において、前記収納庫１２の間もしくは前記収納庫１２に隣接して通路１４が形成され、前記収納庫１２の上端部には、軒１６が構成される。
【００１８】
前記収納庫用屋根１０は、前記通路１４に、主に複数の支柱１８と横架部材２０と屋根２６とによって構成される。
【００１９】
前記支柱１８は、前記通路１４に垂直に立設され、前記収納庫用屋根１０の大きさに応じて必要な本数が、前記収納庫用屋根１０の延在方向に沿って直線状に複数配設される。
【００２０】
前記支柱１８の頂部に、溶接又は適切な緊締具により前記横架部材２０が固着される。好ましくは、前記横架部材２０は、前記支柱１８の延在方向に直交してＴ字状に固着される。さらに、前記横架部材２０と前記支柱１８とが固着された接合部分は、前記接合部分の正面及び背面からそれぞれ板状の補強部材２２ａ、２２ｂによって挟持される。すなわち、前記補強部材２２ａ、２２ｂが前記横架部材２０及び前記支柱１８に溶接又は適切な緊締具で固着される。
【００２１】
さらに、前記横架部材２０の両端に、前記収納庫用屋根１０の長手方向に沿って梁２４ａ、２４ｂが溶接等によって固着される。前記梁２４ａ、２４ｂにより、後述する屋根２６がより一層堅固に保持される。
【００２２】
そして、前記横架部材２０及び前記梁２４ａ、２４ｂの上に、前記屋根２６が緊締具等により固着される。前記屋根２６は、例えばアクリル樹脂のように、透光性に優れた素材を使用することが好ましい。
【００２３】
前記屋根２６が、前記軒１６を覆うように構成されることで、前記収納庫用屋根１０と前記収納庫１２の上面との間に通風路２８が形成される。通風路２８の高さは、好ましくは２０ｃｍ〜３０ｃｍである。
【図面の簡単な説明】
【００２４】
【図１】本実施の形態にかかる収納庫用屋根及び収納庫の斜視図である。
【図２】本実施の形態にかかる収納庫用屋根及び収納庫の側面説明図である。
【符号の説明】
【００２５】
１０…収納庫用屋根                  １２…収納庫
１４…通路                          １６…軒
１８…支柱                          ２０…横架部材
２２ａ、２２ｂ…補強部材            ２４ａ、２４ｂ…梁
２６…屋根                          ２８…通風路
【図１】
2005232688.tif 000003
【図２】
2005232688.tif 000004
(57)【要約】【課題】  哺乳類におけるエラスターゼ及びカテプシンＧを阻害する方法を提供すること。【解決手段】  哺乳類における好中球エラスターゼ及びカテプシンＧ阻害のための薬剤であって、ヘパリンのα−Ｌ−イズロン酸−２−スルフェート糖単位の２−Ｏ−硫酸基をアルカリ加水分解により除去することによって調製される、治療有効量の非抗凝固性硫酸化ヘパリンからなる薬剤であって、１つの実施形態において、上述の薬物がエーロゾル投与により投与され、または別の実施形態においては、上述の薬物が静脈内（ＩＶ）注射により投与される、薬剤。【選択図】  なし【特許請求の範囲】
【請求項１】
哺乳類における好中球エラスターゼ及びカテプシンＧ阻害のための薬剤であって、ヘパリンのα−Ｌ−イズロン酸−２−スルフェート糖単位の２−Ｏ−硫酸基をアルカリ加水分解により除去することによって調製される、治療有効量の非抗凝固性硫酸化ヘパリンからなる薬剤。
【発明の詳細な説明】
【技術分野】
【０００１】
【数１】
2005232191.tif 000002
【背景技術】
【０００２】
【数２】
2005232191.tif 000003
【０００３】
【数３】
2005232191.tif 000004
【０００４】
【数４】
2005232191.tif 000005
【０００５】
【数４】
2005232191.tif 000006
【０００６】
【数５】
2005232191.tif 000007
【０００７】
【数６−１】
2005232191.tif 000008
【発明の開示】
【発明が解決しようとする課題】
【０００８】
【数６−２】
2005232191.tif 000009
【０００９】
【数７】
2005232191.tif 000010
【課題を解決するための手段】
【００１０】
【数６Ａ−１】
2005232191.tif 000011
【００１１】
【数６Ａ−２】
2005232191.tif 000012
【００１２】
【数７】
2005232191.tif 000013
【００１３】
【数８】
2005232191.tif 000014
【００１４】
【数９】
2005232191.tif 000015
【００１５】
【数１０−１】
2005232191.tif 000016
【実施例】
【００１６】
【数１０−２】
2005232191.tif 000017
【００１７】
【数１１】
2005232191.tif 000018
【００１８】
【数１２】
2005232191.tif 000019
【００１９】
【数１３】
2005232191.tif 000020
【００２０】
【数１４】
2005232191.tif 000021
【００２１】
【数１５】
2005232191.tif 000022
【００２２】
【数１６】
2005232191.tif 000023
【００２３】
【数１７】
2005232191.tif 000024
【００２４】
【数１８】
2005232191.tif 000025
【００２５】
【数１９】
2005232191.tif 000026
【００２６】
【数２０】
2005232191.tif 000027
【図面の簡単な説明】
【００２７】
【図１】図１は、ヘパリンの５糖体結合配列における脱２−Ｏ−硫酸化α−Ｌ−イズロン酸の化学式を示す。
【図２】図２は、ヘパリンの５糖体結合配列におけるα−Ｌ−イズロン酸の２−Ｏ−位を脱硫酸化するための予想反応式を示す。
【図３】図３は、食塩水（コントロール）、ヒト白血球エラスターゼ（ＨＬＥ）、ＨＬＥプラスヘパリン、及びＨＬＥプラス脱硫酸化ヘパリンの投与２４時間後の気管支肺胞洗浄中の多形核白血球（ＰＭＮ)細胞の数のグラフを示す。
【図４】図４は、食塩水（コントロール）、ＨＬＥ、ＨＬＥプラスヘパリン、及びＨＬＥプラス脱硫酸化ヘパリンの投与２４時間後の気管支肺胞洗浄液中のヘモグロビン含有量の測定値のグラフを示す。
【図５】図５は、食塩水（コントロール）、ＨＬＥ、ＨＬＥプラスヘパリン、及びＨＬＥプラス脱硫酸化ヘパリンの投与２４時間後の気管支肺胞洗浄中のタンパク質濃度のグラフを示す。
【図１】
2005232191.tif 000028
【図２】
2005232191.tif 000029
【図３】
2005232191.tif 000030
【図４】
2005232191.tif 000031
【図５】
2005232191.tif 000032
(57)【要約】      （修正有）【課題】ガン細胞治療効果が高いと知られているビタミンＢ１７のより効果的な投与方法を提供する。【解決手段】患者を４５℃に保ったお湯の浴槽に入れておいて、ブドウ糖にビタミンＢ１７を混ぜて点滴しブドウ糖でガン細胞を集めておき治療する。このとき点滴液も４５℃の温度に保持しておく【選択図】なし【特許請求の範囲】
【請求項１】
「患者を４５度Ｃに保ったお湯の浴槽に入れておいてぶどう糖にビタミンＢ１７を混ぜて点滴をする。栄養分を多く必要とする癌細胞はぶどう糖を集める為がん治療効果の高いビタミンＢ１７も一緒にがん細胞に集められて癌治療効果が高い。点滴液は４５度Ｃの温度を保つ。この温度が一番がん治療効果が高い。これ等によって高いがん治療効果が期待出来る」機器に対して特許を請求します。
【発明の詳細な説明】
【技術分野】ブドウ糖及びビタミンＢ１７併用温浴がん治療「背景技術」４５度Ｃの「ブドウ糖およびビタミンＢ１７」及び４５度Ｃの温浴によるがん治療「発明の開示」発明が開示しようとする課題」「０００３」患者を４５度Ｃに保ったお湯の浴槽に入れておいてぶどう糖にビタミンＢ１７を混ぜて点滴をする。栄養分を多く必要とする癌細胞はぶどう糖を集める為がん治療効果の高いビタミンＢ１７も一緒にがん細胞に集められて癌治療効果が高い。点滴液は４５度Ｃの温度を保つ。この温度が一番がん治療効果が高い。「課第を解決する為の手段」４５度Ｃに保てる浴槽と点滴液を４５度Ｃに保てる点滴用具を用意。「発明の効果」患者を４５度Ｃに保ったお湯の浴槽に入れておいてぶどう糖にビタミンＢ１７を混ぜて点滴をする。栄養分を多く必要とする癌細胞はぶどう糖を集める為がん治療効果の高いビタミンＢ１７も一緒にがん細胞に集められて癌治療効果が高い。点滴液は４５度Ｃの温度を保つ。この温度が一番がん治療効果が高い。「実施例」今迄の医学データーがビタミンＢ１７のがん細胞治療効果又温度４５度Ｃのがん治療効果を証明しています。がん細胞がブドウ糖を必要としている事実も既に明らかです。「産業上の利用可能性」温度４５度Ｃに保つ浴槽の需要を喚起。温度４５度Ｃに保つ点滴器具の需要を喚起。
【図面の簡単な説明】
【図１】温度４５度Ｃに保つ浴槽。
【図２】温度４５度Ｃに保つ点滴器具。
【図１】
2005232144.tif 000002
【図２】
2005232144.tif 000003
(57)【要約】【課題】従来、老眼の対策としては老眼鏡が使用されるのが通常である。しかしながら老眼鏡を使用しない肉眼での視力を維持のための方法が必要とされている。また、疲れ目の効果的な治療方法も必要とされている。【解決手段】本発明者は、重水素濃度０ｐｐｍから８０ｐｐｍの重水素減少水（ＤＤＷＡＴＥＲ（Ｒ））を原料とした目薬を製造し、それを点眼して老眼、疲れ目の治療をするものである。【選択図】なし【特許請求の範囲】
【請求項１】
水と、０ｐｐｍから８０ｐｐｍの含有量の重水素を有し、又は、活性剤として、０ｐｐｍから８０ｐｐｍの含有量の重水素を含み、担体又は助剤と共に、製薬学的な製品或いは医薬溶液の形での、ヒトに適する水性溶液である、重水素減少水（ＤＤＷＡＴＥＲ（Ｒ））を使用して目薬を製造する。
【請求項２】
重水素濃度が０ｐｐｍから８０ｐｐｍの重水素減少水（ＤＤＷＡＴＥＲ（Ｒ））を原料として使用した目薬を点眼することにより、紫外線２５４ｎｍなどにより発生する活性酸素よって損傷した遺伝子を重水素減少水によって修復し老眼、疲れ目を治療する。
【発明の詳細な説明】
【技術分野】
【０００１】  本発明は、重水素減少水（ＤＤＷＡＴＥＲ（Ｒ））を原料とした目薬の製造、およびその目薬で老眼、疲れ目の治療することである。
【背景技術】
【０００２】  従来、目薬は水を使用して製造され、老眼の対策としては老眼鏡が使用されるのが通常である。
【発明の開示】
【発明が解決しようとする課題】
【０００３】  しかしながら現実において、老眼鏡を使用しない肉眼での視力を維持のための方法が必要とされている。
【課題を解決するための手段】
【０００４】  本発明者等は、係る課題を解決するために鋭意研究したところ、目薬を重水素減少水（ＤＤＷＡＴＥＲ（Ｒ））を使用して製造する方法を開発して、本発明を提供するものである。【０００５】  本発明者等は、目の水晶体を厚くしたり薄くしたりして焦点を調整する毛様体の筋肉組織が、長い細胞分裂（７０日に一回起きる）の末に紫外線２５４ｎｍなどによって発生する活性酸素が、遺伝子の書き換えを発生させ筋肉細胞を損傷させ筋肉として機能しない細胞が増加し、焦点を結べない状態が生じることが老眼の原因とした。【０００６】  治療方法として、紫外線２５４ｎｍを細胞に照射すると遺伝子が損傷した時に発生する８−ヒドロキシ−デオキシグアノシン（８−ＯＨｄＧ）が重水素減少水（ＤＤＷＡＴＥＲ（Ｒ））の中では少なくなり遺伝子が修復する事が確認できている。【０００７】  したがって遺伝子書き換えによって筋肉細胞が損傷した毛様体の筋肉組織は、重水素減少水（ＤＤＷＡＴＥＲ（Ｒ））の中では遺伝子が修復され毛様体の筋肉組織を復活させることができる。【０００８】  また、筋肉組織を復活させるということにおいて重水素減少水（スーパーライトウォーター）は疲れ目の治療にも効果がある。
【発明の効果】
【０００９】  以上説明したように、本発明によれば重水素濃度０ｐｐｍから８０ｐｐｍの重水素減少水（ＤＤＷＡＴＥＲ（Ｒ））を目薬の製造に使用することにより、その目薬は老眼、疲れ目の治療に効果がある。
【発明を実施するための最良の形態】
【００１０】  本発明は重水素減少水（ＤＤＷＡＴＥＲ（Ｒ））を目薬製造の原料に使用し、それを点眼することにより眼内の重水素濃度を低下させ効果的に毛様体筋肉を復活させる。【００１１】  目薬の製造は、重水素濃度０ｐｐｍから８０ｐｐｍの重水素減少水（スーパーライトウォーター）を生理食塩水にする。【００１２】  重水素濃度０ｐｐｍから８０ｐｐｍの重水素減少水（ＤＤＷＡＴＥＲ（Ｒ））を原料として使用した目薬を点眼することにより眼内の重水素濃度を低下させ老眼、疲れ目の治療に効果が得られる。
(57)【要約】【課題】  植物エキスを構成しスプレー状に加工した加工品を提供する。【解決手段】  本発明は植物エキスにアルコール樹脂エタノール等を加えスプレーに加工した加工品である。本発明は、人間及び動物の死後その体全体に覆う様にスプレーし、死後発生する腐敗臭を抑制する安全性の高い加工品である。従来は、炭酸ガスを固体化した物体いわゆるドライアイスでしか解決できなかった問題をより簡単、確実に解決する為の有効な加工品である。【特許請求の範囲】
【請求項１】
主として植物エキスで構成された液体をアルコール樹脂及びエタノールを加えより安全性を高め、更にスプレー化する事により簡単確実に遺体から発生する腐敗臭を抑制する事ができる加工品である。
【請求項２】
加工品が遺体を保管するための加工品である請求項１の記載の加工品。
【発明の詳細な説明】
【発明の詳細な説明】
【技術分野】
【０００１】本発明は、植物エキス主体で構成された加工品であり、より詳細にはワサビエキスを主体としたスプレー状の加工品である。
【背景技術】
【０００２】現状の遺体の保管方法は、主として炭酸ガスを固体化したいわゆるドライアイスを棺桶の中に敷き詰める事によって、その遺体から発生する腐敗臭を抑制してきた。しかし梅雨時や夏場、または暖房をしている会場などでは、こまめにドライアイスを追加する作業を行っていた。またほとんどの火葬場では、棺桶の中にドライアイスを敷き詰めた状態で火葬する事を禁止している。この理由としてドライアイスが燃焼した時に発生する炭酸ガスにより、遺体の燃焼が弱くなるなど様々な問題が生じている。
【発明が解決しようとする課題】
【０００３】遺体に植物性エキスを主成分とした安全性に優れた本発明加工品をスプレーすることで、遺体表面（皮膚）を皮膜が覆い長時間（大阪市立工業研究所データ）腐敗臭を抑制して遺体を保管する事。また火葬場おいては、火葬をスムーズに進行させ、燃焼時に有害な物質も発生させない事を目的とする。
【課題を解決する為の手段】
【０００４】上記の課題を解決する為になされた本発明の要旨は、
▲１▼植物性エキスを主成分とし、スプレー状に加工した遺体保管材である。
▲２▼加工品が遺体の保管材として最適である▲１▼記載の加工品である。
【発明の実施形態】
【０００５】本発明の加工品は、植物性エキスを主成分としたスプレー状の加工品である。
【実施例】
【０００６】▲１▼腐敗臭の激しい生魚に今回の加工品をスプレーした結果、魚全体を皮膜で覆い悪臭が消えた。後一週間臭いはしなかった。
▲２▼スポンジにアンモニア液を染み込ませ、今回の加工品をスプレーした結果、スポンジ全体を皮膜で覆い悪臭が消えた。後一週間臭いはしなかった。
▲３▼死亡した犬に今回の加工品を犬の体全体にスプレーし皮膜で覆うと、腐敗の進行を抑制し腐敗による悪臭もでなかった。そして犬の遺体引き取り時の作業もスムーズに行えた。
【発明の効果】
【０００７】遺体に本発明加工品をスプレーする事により表面（皮膚）が加工品から噴出される粘着性のある表面皮膜材でコーテイングされる。
（透明な袋が遺体を包み込んでいる状態）
そうする事により７日から１０日間腐敗による悪臭を抑制できる。
【安全性】
【０００８】植物性エキスを主成分とした液体に加工されている為、今回の加工品を使用時にその使用者の肌に触れたり誤って体内に入ったとしても、安全性の高い加工品であるので問題はない。
(57)【要約】      （修正有）【課題】剥がせる接着テープを剥がすとき、簡単に剥がすことができると共に、接着テープのロールの先端部が簡単に取り出すことが出きる接着テープの提供。【解決手段】接着しない部分をテープに設けた。即ち、接着テープに接着剤の塗布している面２と接着剤の塗布していない面３をつくるのである。接着剤の塗布されていない部分は接着しても接着されない。従って、接着されていない部分を摘まんで引くことにより、接着テープを剥がすこと、またテープのロールの先端部を取り出すことが簡単にできるようになる。【選択図】図１
2005232428.tif 000002
【特許請求の範囲】
【請求項１】
接着テープを剥がすとき、剥がすことが簡単な特徴とする接着テープ。
接着テープのロールの先端部を取り出すことが簡単な特徴とする接着テープ。
【請求項２】
この接着テープは接着剤を塗布された接着面と接着剤を塗布されていない面で構成されている。即ち、接着したとき接着する面と接着しない面を特徴とする請求項１記載の接着テープ。
【発明の詳細な説明】
【技術分野】
【０００１】この発明は、接着テープに関する。
【背景技術】
【０００２】従来の接着テープの接着剤は、図２に示すように、テープの全面に塗布されている。
【発明の開示】
【発明が解決しようとする課題】
【０００３】しかしながら、以上の技術によれば、接着テープを剥がすとき、接着面が全面ため剥がすのに手間がかかった。接着テープのロールの先端部が貼りつき取りだし難かった。
【課題を解決するための手段】
【０００４】以上の課題を解決するために、第一発明は、接着テープに接着剤を塗布しない部分をつくりことにより接着しない部分ができ剥がしやすい、取りだしやすい特徴とする接着テープである。
【発明の効果】
【０００５】第一発明によれば、接着テープを剥がすとき、接着しない部分より、接着テープを簡単に剥がすことができる。また、接着テープのロールよりテープの先端部を取り出すとき、貼りついていない部分より簡単に取り出すことができる。
【発明を実施するための最良の形態】
【０００６】この発明の一実施形態を、図１に示す。
剥がせる接着テープの１はテープの基礎素材（紙、布、ビニール等）
２は接着剤の塗布された面  ３は接着剤の塗布されていない面で構成されている。
【実施形態の効果】
【０００７】この実施形態によれば、接着テープを剥がすとき接着していな部分が見えているので接着していテープを簡単に剥がすことができる。また、接着テープのロールより先端部を取り出すとき貼りついていないので先端部を簡単に取り出すことができる。
【他の実施形態】
【０００８】図１の実施形態では接着剤の塗布されていない面は片面であったが、他の実施形態では両面にしたものでも良い。
【図面の簡単な説明】
【０００９】
【図１】  この発明の一実施形態を示す斜視図である。
【図２】  従来の技術を示す斜視図である。
【符号の説明】
【００１０】      １  接着テープの基礎素材
２  接着剤が塗布されている面
３  接着剤が塗布されてない面
【図１】
2005232428.tif 000003
【図２】
2005232428.tif 000004
(57)【要約】【課題】  セグメントのリング間継手の雌金具をコンクリート中に確実に定着させた構造を提供する。【解決手段】  接合される一方のセグメントの接合端面に雄金具として雄螺子を突設し、他方のセグメントの接合端面に雌金具がコンクリート中に埋設してあり、その雌金具は面板の内面に複数の皿ばねワッシャーが突設された短管が埋設され、その短管の先端にキャップが嵌合してあり、面板の両側縁には側板が固定してあり、その側板には鉄筋端部が固定してある。【選択図】    図１
2005232783.tif 000002
【特許請求の範囲】
【請求項１】
接合される一方のセグメントの接合端面に雄金具として雄螺子を突設し、他方のセグメントの接合端面に雌金具がコンクリート中に埋設してあり、その雌金具は面板の内面に複数の皿ばねワッシャーが突設された短管が埋設され、その短管の先端にキャップが嵌合してあり、面板の面側縁には側板が固定してあり、その側板には鉄筋端部が固定してあることを特徴とするセグメントの継手構造。
【請求項２】
面板の透孔内用に雌螺子が形成してある請求項１記載のセグメントの継手構造。
【請求項３】
皿ばねワッシャーのスリットの長さを円周方向に僅かづつずらして形成し、透孔を略渦巻き状の孔形状としてある請求項１記載のセグメントの継手構造。
【発明の詳細な説明】
【技術分野】
【０００１】
この発明はシールド工事において実施されるコンクリートセグメントのリング間継手に関するものである。
【背景技術】
【０００２】
出願人は先に下記公報に示すコンクリートセグメントの継手に関して実施権を得て実用化してきた。その発明の要旨は、
「プレキャスト部材の一方に凹孔を形成し、凹孔壁から突設する受座金板の中央に透孔を形成し、かつ透孔から放射状に切込みを構成し、プレキャスト部材の他方に挿入杆を突設し、かつ挿入杆の径を前記透孔より少し大きく構成し、挿入杆を、透孔を押し拡げるようにして挿入することを特徴とするプレキャスト部材の接合法。」
である。
【特許文献１】特公昭４９−７６８号公報
【発明の開示】
【発明が解決しようとする課題】
【０００３】
出願人は前記発明の実用化に際して工夫してきたが、特に雌金具部分のコンクリート中への定着を十分ならしめる必要がある。
【発明の効果】
【０００４】
この発明は前記特許請求の範囲に記載の構成からなり、皿バネが短管に内装され、この短管を保持する面板に側板を固定し、この側板に鉄筋を固着してアンカーとしてあるので、コンクリート中への雌金具を確実に保持させることができた。
【発明を実施するための最良の形態】
【０００５】
以下この発明の具体的な実施形態を図面に基いて説明する。
【実施例】
【０００６】
接合される一方のセグメントＡの接合端面に雄金具として雄螺子１と突設し、他方のセグメントＢの接合端面に雌金具２がコンクリート中に埋設してある。
【０００７】
複数の皿ばねワッシャー３が突設された鋼管からなる短管４が開口した状態に面板５の内面に埋設してある。その短管４の開口と反対側である先端にはキャップ６が着脱自在に嵌合してある。
【０００８】
面板５の両側縁には側板７が固定してある。その側板７にはコンクリートの補強となる鉄筋８の端部が溶接してある。
【０００９】
また雄螺子１が前記面板５を挿通する透孔１１にはセグメントの成形時に面板５を保持するネジを螺合する雌螺子が形成してある。
【００１０】
前記皿ばねワッシャー３はワッシャー９を介在させて所定間隔に配置され、鋼管１０によって保持されている。
【００１１】
また皿ばねワッシャー３の複数のスリットは円周方向に一定長さに加工してあり、皿ばねワッシャ−３の方向をランダムにして、雌金具が配置され、そこに雄金具が挿入される。
【００１２】
螺子加工した雄部材は、平行溝と異なり、あるピッチで凹部（へこみ）があるため、皿ばねワッシャー３をランダムに配置しても皿ばねワッシャー３の凸部のどれかに確実に嵌合して、引張力に対して遊びを生ずることが無い。
【００１３】
他の実施例として図９に示すようにさらに皿ばねのワッシャー３の加工を図のようにスリット１２の長さを円周方向に僅かづつずらして形成し、透孔を直円ではなく略渦巻き状の孔形状としてある。そのようにすると挿入完了時に皿ばねワッシャー３の先端部と雄螺子１の凹部が確実に接触し、さらに引張力等に対して強固なものになる。
【００１４】
皿ばねワッシャーの加工はプレス機による押しぬき加工のため、コストアップ無しに製造することが可能である。
【図面の簡単な説明】
【００１５】
【図１】この発明の継手を接合する前の断面図である。
【図２】この発明の雌金具の正面図である。
【図３】この発明の雌金具の断面図である。
【図４】皿ばねワッシャー３の側面図と正面図である。
【図５】キャップ６の断面図と正面図である。
【図６】ワッシャー９の断面図と正面図である。
【図７】鋼管１０の断面図と正面図である。
【図８】短管４の断面図と正面図である。
【図９】皿ばねワッシャー３の変形例の正面図である。
【符号の説明】
【００１６】
Ａ，Ｂ…セグメント、１…雄螺子、２…雌金具、３…皿ばねワッシャー、４…短管、５…面板、６…キャップ、７…側板、８…鉄筋、９…ワッシャー、１０…鋼管
１１…透孔、１２…スリット
【図１】
2005232783.tif 000003
【図２】
2005232783.tif 000004
【図３】
2005232783.tif 000005
【図４】
2005232783.tif 000006
【図５】
2005232783.tif 000007
【図６】
2005232783.tif 000008
【図７】
2005232783.tif 000009
【図８】
2005232783.tif 000010
【図９】
2005232783.tif 000011
(57)【要約】【課題】上水に用いられるＰＣタンクにおいて、上水の塩素等の影響を受けるドーム屋根  本発明は、上水の配水池として構築されるＰＣタンクのドーム屋根の構築方法において、ドーム屋根のコンクリート中に配置する鉄筋に変えてＦＲＰ筋を配置したことを特徴とする。コンクリート配筋の腐食や剥離を防止し、ドーム屋根のメンテナンスを不要とする構築方法を提供する。【解決手段】本発明は、上水の配水池として構築されるＰＣタンクのドーム屋根の構築方法において、ドーム屋根のコンクリート中に配置する鉄筋に変えてＦＲＰ筋を配置したことを特徴とする。    【選択図】  図１  
2005232755.tif 000002
【特許請求の範囲】
【請求項１】
上水の配水池として構築されるプレストレストコンクリートタンク（以下ＰＣタンクという）のドーム屋根構築方法において、ドーム屋根のコンクリート中に配置する鉄筋に変えてＦＲＰ筋を配置したことを特徴とするドーム屋根の構築方法。
【発明の詳細な説明】
【技術分野】
【０００１】
本発明は、上水を貯留するためのＰＣタンクのドーム屋根の構築方法に関するものである。
【背景技術】
【０００２】
上水を貯留するための構造物としては、壁体部にかかる大きな水圧に耐えるように、鋼とコンクリートという耐久性構造材料を上手に組み合わせ、それらの物理的・科学的特性を補完し合う複合材料である鉄筋コンクリート(以下ＲＣという)構造物が一般に多く用いられていた。しかし、ＲＣ構造物は、圧縮力はコンクリートに負担させ、引張力は鉄筋で負担させるという大胆な仮定をして解析をしていることと、コンクリートが乾燥収縮と引張力の小さいことに由来するひび割れができることが欠点とされていた。このため、上水等の液体を貯留するタンクの構造物として、ＲＣ構造は問題があった。
【０００３】
このため、コンクリートに発生する引張応力を打消すために、コンクリートにあらかじめ所定の圧縮応力を与えるというプレストレストコンクリート技術が開発され、コンクリートに発生するひび割れを防止することが可能となった。近年、この技術は、タンクの内壁にかかる大きな水圧にも対応が可能であることから、上水の大容量のタンクに多く導入されている。
【０００４】
ＰＣタンクの屋根構造としては、球状のドーム構造が一般的に用いられている。ドームのシェル構造が多く用いられる理由としては、シェル内の曲げ力が非常に小さくなることからその部材の厚さが薄くできるという利点がある。ドームに発生する曲げ力は、中央部から端部に向かって大きくなってくる。この曲げ力に対応して、ドームに配置される鉄筋は中央部はシングルで、端部はダブルに配筋されている。鉄筋径は、曲げ力が小さいことから比較的小径のもので対応できる。ドームの厚さが薄くできることから、鉄筋がダブルの配筋となるドーム端部では、鉄筋の被りは小さくなっている。しかし、コンクリートは、収縮クラックやピンホールが生じ、それが内部の鉄筋に達している場合、図２に示すように、水道水の塩素ガス等の影響によって鉄筋に錆が発生し、それが悪化すると錆が膨張してコンクリートを剥落させる。鉄筋腐食を防止するためには、早期に内外のドーム面に樹脂材等の防食塗装をしなければならないが、タンク内の全面に支保工材を設置・撤去しなければならなく、メンテナンス費用が高価になるという問題あった。
【特許文献１】実開平７−２５１５９号
【発明の開示】
【発明が解決しようとする課題】
【０００５】
解決しようとする課題は、部材の厚さが薄いＰＣタンクのドーム屋根において、ドームコンクリート内の配筋が腐食することなく、健全なドーム屋根を維持して内外面のメンテナンスを不要とするＰＣタンクのドーム屋根構築方法である。
【課題を解決するための手段】
【０００６】
本発明は、上水の配水池として構築されるＰＣタンクのドーム屋根の構築方法において、ドーム屋根のコンクリート中に配置する鉄筋に変えてＦＲＰ筋を配置したことを特徴とする。
【発明の効果】
【０００７】
本発明のドーム屋根は、ＦＲＰ筋が薄い部材内に小さな被りで配筋されている。ドーム屋根コンクリートに収縮クラックやピンホールが生じて、ＦＲＰ筋に達しても強化繊維と耐薬品性に優れた樹脂で構成されているため、錆の発生の心配もなくなり、コンクリートが錆によって剥離することがなく、ドーム屋根内外面のメンテナンスが不要となる。また、比重が非常に軽く、ドーム屋根全体の重量も軽くなり、型枠や支保工等の仮設材も軽減できるという利点がある。
【発明を実施するための最良の形態】
【０００８】
ＰＣタンクのドーム屋根構築方法において、ドームコンクリート内に配置した曲げ引張り筋が、タンク内に貯留した水道水の塩素によって錆を発生させないで、長期間安全に維持できるドーム屋根構築方法を実現した。
【実施例１】
【０００９】
図１は、本発明のドーム屋根構築方法を説明する断面図である。円形状の底版上の外縁部分にコンクリートを打設して側壁３を構築し、側壁３のコンクリートにタンク内に貯留する水圧に見合うプレストレスを円周方向に導入する。側壁３の構築が完了すると、側壁３の頂部の円周方向にはドームリング２を構築する。また、ＰＣタンク内側の上空には、ドーム屋根１の曲線形状に合わせて製作した型枠５を、底版上に組み立てた支保工材６によって支持させる。型枠５の設置が完了すると、型枠５から所定の被りを取って上下にＦＲＰ筋４を配置する。ＦＰＲ筋４の配筋が完了すると、所定の厚さでドームコンクリート１１を打設してドーム屋根１を構築する。ドームコンクリート１１の養生後、ドームコンクリート１１に所定の強度が得られると、ドームリング２の円周方向にプレストレスを導入しドーム屋根１を保持させてＰＣタンクの構築を完成する。
【００１０】
前記した実施形態では、ドーム屋根１の構築を現場にてコンクリート打設する方法で説明したが、予め工場や現地の空き地を利用して、ドーム屋根１を所定の大きさに分割したパネル方式で製作し、そのパネル材を架設して構築する方法も採用することができる。その時、各パネル間の間詰め部に配置される曲げ引張筋もＦＰＲ筋４が用いられる。
【００１１】
ドーム屋根１に配置されるＦＰＲ筋４としては、カーボン繊維やアラミド繊維およびガラス繊維を樹脂に含浸させながら一体成形したものが用いられる。
【００１２】
ドーム屋根１の内面には、ＰＣタンク内に貯留した上水の塩素が充満し、ドーム屋根１のコンクリート表面のクラック９等の間隙から、塩素がＦＰＲ筋４にまで浸透していくが、強化繊維と耐薬品性に優れた樹脂で構成されているため、腐食することなく健全なコンクリート１１体を長期間維持でき、ドーム屋根１の内外面のメンテナンスを必要としない。
【産業上の利用可能性】
【００１３】
上水のＰＣタンクにおいて、上水の塩素の影響を受けるドーム屋根の構築に適用できる。
【図面の簡単な説明】
【００１４】
【図１】本発明のドーム屋根構築方法を説明する断面図である。
【図２】従来技術のドーム屋根の劣化状況を説明する断面図である。
【符号の説明】
【００１５】
１    ドーム屋根
２    ドームリング
３    側壁
４    ＦＰＲ筋
５    型枠
６    支保工材
７    鉄筋
８    鉄筋腐食
９    クラック
１０    コンクリート片剥離
１１    コンクリート
【図１】
2005232755.tif 000003
【図２】
2005232755.tif 000004
(57)【要約】【課題】  コンクリート板における引張力が作用する箇所だけに補強鉄筋が配筋されたプレキャストコンクリート板を提供することである。【解決手段】  プレキャストコンクリート板１は、トラス筋３が長辺方向に沿って配筋されたコンクリート板２における引張力が作用する箇所にのみ補強鉄筋４が配筋されて構成されている。【選択図】  図１
2005232775.tif 000002
【特許請求の範囲】
【請求項１】
コンクリート板の上面にトラス筋が長辺方向に沿って配筋されたプレキャストコンクリート板において、前記コンクリート板における引張力が作用する箇所にのみ補強鉄筋が配筋されたことを特徴とするプレキャストコンクリート板。
【請求項２】
コンクリート板における補強鉄筋が配筋されていない箇所にはメッシュ筋が配筋されたことを特徴とする請求項１に記載のプレキャストコンクリート板。
【発明の詳細な説明】
【技術分野】
【０００１】
本発明はプレキャストコンクリート板に関するものである。
【背景技術】
【０００２】
コンクリート板１０の上面にトラス筋１１が配筋された、いわゆるプレキャストコンクリート板１２は、スラブを構築するために梁間に隣接状態で設置される。そのためプレキャストコンクリート板１２には大きな引張力が作用し、この引張力に抵抗する補強鉄筋１３がコンクリート板１０に配筋されている。この補強鉄筋１３は、図５に示すように、コンクリート板１０の全面にわたって配筋されている。また、その他のプレキャストコンクリート板としては、例えば特開２００２−１７３９４４号公報の発明がある。
【特許文献１】特開２００２−１７３９４４号公報
【発明の開示】
【発明が解決しようとする課題】
【０００３】
しかし、上記のプレキャストコンクリート板はコンクリート板の全面、すなわち引張力が作用する箇所だけではなく、圧縮力が作用する箇所にも補強鉄筋が配筋されているため、非常に不経済的であった。
【０００４】
本発明は上記のような問題に鑑みてなされたものであり、その目的は、コンクリート板における引張力が作用する箇所だけに補強鉄筋が配筋されたプレキャストコンクリート板を提供することである。
【課題を解決するための手段】
【０００５】
課題を解決するための手段であるプレキャストコンクリート板は、コンクリート板の上面にトラス筋が長辺方向に沿って配筋されたプレキャストコンクリート板において、前記コンクリート板における引張力が作用する箇所にのみ補強鉄筋が配筋されたことを特徴とする。またコンクリート板における補強鉄筋が配筋されていない箇所にはメッシュ筋が配筋されたことを含むものである。
【発明の効果】
【０００６】
コンクリート板における引張力が作用する箇所にのみ補強鉄筋を配筋したため、非常に経済的なプレキャストコンクリートが製造できる。また、これ以外の箇所はトラス筋でひび割れなどを防ぐことができる。補強鉄筋が配筋されていない箇所にメッシュ筋が配筋されたので、その箇所のひび割れや欠け落ちを防ぐことができる。
【発明を実施するための最良の形態】
【０００７】
以下、本発明のプレキャストコンクリート板（以下、ＰＣ板という）の実施の形態について説明する。なお、各実施の形態において同じ構成は同じ符号を付して説明し、異なった構成は異なった符号を付して説明する。
【０００８】
図１および２は、第１の実施の形態のＰＣ板１であり、このＰＣ板１は平面矩形のコンクリート板２の上面にトラス筋３が長辺方向に沿って配筋された、いわゆるハーフＰＣと呼ばれるものである。
【０００９】
このコンクリート板２には引張力が大きく作用する箇所にのみ格子状の補強鉄筋４が配筋され、これ以外の箇所、すなわち圧縮力が作用する箇所にはトラス筋３が配筋されているだけである。
【００１０】
このトラス筋３は、一本の上端筋５と、二本の下端筋６とが波形のラチス筋７で接合された三角トラスであり、下端筋６を下側にして配筋されている。よって、補強鉄筋４が配筋されていない箇所は、下端筋６のみでひび割れなどを防いでいる。
【００１１】
また図３および４は、第２の実施の形態のＰＣ板８である。このＰＣ板８はコンクリート板２における補強鉄筋４が配筋されていない箇所、すなわち圧縮力のみが作用する箇所にメッシュ筋９が配筋されたものであり、これ以外は上記の第１の実施の形態のＰＣ板１と同じ構成である。このメッシュ筋９により圧縮力のみが作用する箇所のひび割れや欠け落ちを防ぐことができる。
【図面の簡単な説明】
【００１２】
【図１】第１の実施の形態のＰＣ板であり、（１）は平面図、（２）は（１）のＡ−Ａ線断面図である。
【図２】図１のＢ−Ｂ線断面図である。
【図３】第２の実施の形態のＰＣ板の平面図である。
【図４】図３のＣ−Ｃ線断面図である。
【図５】従来のＰＣ板であり、（１）は平面図、（２）は（１）のＤ−Ｄ線断面図である。
【符号の説明】
【００１３】
１、８、１２  ＰＣ板
２、１０  コンクリート板
３、１１  トラス筋
４、１３  補強鉄筋
５  上端筋
６  下端筋
７  ラチス筋
９  メッシュ筋
【図１】
2005232775.tif 000003
【図２】
2005232775.tif 000004
【図３】
2005232775.tif 000005
【図４】
2005232775.tif 000006
【図５】
2005232775.tif 000007
(57)【要約】【課題】車道表面に対するヒートアイランド対策として保水性舗装材開発と車道面の透水性の舗装及び車道の裏側面に水を保水させ、車道表面に毛細管現象により保水された水を車道表面上げて、水の蒸発作用によって周囲から熱を奪う対策などがあるが、車道表面の散水は散水車、また人が打ち水する方法である。【解決手段】  車道表面に散水する水は、雨水地下タンクの貯留水を利用するが、車道表面に降った雨水を、トレンチ縁石で回収して、雨水タンクに給水している、車道境界縁石のトレンチ縁石中に散水栓を設けて、散水ポンプの力で雨水タンクの貯留水を散水栓より車道表面に散水が、散水ポンプにタイマー設定をすることで自動化散水で解決した。【選択図】    図２
2005232939.tif 000002
【特許請求の範囲】
【請求項１】
歩車道に設置した、歩車道の境界トレンチ縁石で車道表面に降った雨水を、トレンチ縁石で集水して、その雨水を給水管より雨水地下貯留タンクに貯留する。
トレンチ縁石より散水は、トレンチ縁石に内蔵の散水栓より、車道表面に向けて散水するが、雨水地下貯留タンクより散水ポンプで上げて、散水管を通して散水栓より車道表面に散水する。
集水と散水を同じトレンチ縁石より動作を可能にするために、トレンチ縁石に給水管と散水管の２本を設置し、雨水地下貯留タンクに給水管と散水管の２本管接続を設けたことを特徴とするトレンチ縁石の集水と散水付きシステム構造。
【発明の詳細な説明】
【技術分野】
【０００１】  本発明は、舗装された、車道表面に降った雨水を車道表面より雨水集水し、地下雨水タンク貯留した雨水を、再度利用して車道表面に向けて雨水散水を可能にした歩車道境界トレンチ縁石に関する。
【背景技術】
【０００２】  従来のトレンチ縁石として、特願２００２−１４０７９１がありますが、このトレンチ縁石は車道表面より雨水を集水した後は、トレンチ縁石の近くに地中浸透させることで、雨水を雨水貯留タンクに貯留させることが出来ない。
【発明の開示】
【発明が解決しようとする課題】
【０００３】  前記のトレンチ縁石は、車道表面の雨水集水のみで、車道表面に向けて雨水を散水する機能がついてない。
本発明は車道表面に対して、雨水の集水と、雨水の散水を可能としたシステムを提案する。
【課題を解決するための手段】
【０００４】  本発明は、上記目的を達成するために、歩車道に設置した、歩車道の境界トレンチ縁石で車道表面に降った雨水を、トレンチ縁石で集水して、その雨水を給水管より雨水地下貯留タンクに貯留する。
トレンチ縁石より散水は、トレンチ縁石に内蔵の散水栓より、車道表面に向けて散水するが、雨水地下貯留タンクより散水ポンプで上げて、散水管を通して散水栓より車道表面に散水する。
集水と散水を同じトレンチ縁石より動作を可能にするために、トレンチ縁石に給水管と散水管の２本を設置し、雨水地下貯留タンクに給水管と散水管の２本管接続を設けることにより上記の課題を解決した。
【発明の効果】
【０００５】  上述したように、車道表面に降った雨水を集水と散水が同じトレンチ縁石に、その機能をもたせることで治水対策とヒートアイランド対策が可能となった。
【発明を実施するための最良の形態】
【０００６】  以下、本発明の実施の形態を図１〜４に基づいて説明する。
図１はトレンチ縁石と植樹帯の平面図を示す。
トレンチ縁石１は、従来の歩車道境界縁石と同じ形状と寸法であり、トレンチ縁石１の内側にフィルター材３が入り、その上にグレーチングふた２がのってます、グレーチングふた２のすき間より、散水栓５が設置されます、トレンチ縁石１の底部はトンネル構造になっておりまして、トンネル構造の中に２本の管が設置されます散水管６と給水管７になります、散水管６は植樹帯１６の中の散水ポンプ９と接続され、その先には雨水地下貯留タンク８が設置されております、給水管７は車道表面１１より流下して来た水を、フィルター材３を通り給水管７に入り、給水管７より雨水地下貯留タンク８に入ります。【０００７】  図２はトレンチ縁石と植樹帯の断面図を示す。
植樹帯１６の中に雨水地下貯留タンク８より、散水ポンプ９で揚水管１３を通して、散水管６に水を給水します、散水管６の先端には散水栓５によりグレーチングふた２のすき間より、車道表面１１に散水の水１２が出ます。【０００８】  図３は、車道表面の散水エリヤ平面図示す。
車道表面１１に散水の水１２の範囲は、散水エリヤ１７のようになります。【０００９】  図４は、車道表面の散水エリヤ断面図を示す。
車道表面１１はセンターライン１９より車道境界縁石に向かって下り勾配となってます、散水栓５より散水の水１２はセンターライン１９より戻り水１８となって帰って来ます、トレンチ縁石１のグレーチングふた２の中に入りフイルター材３を通り、給水管７に入ります、給水管７より雨水地下貯留タンク８流入します。
車道表面１１に降った雨水も、戻り水１８と同じようにして、トレンチ縁石１のフィルター材３より浸透して給水管７に入り雨水地下貯留タンク８に流入します。
【図面の簡単な説明】
【００１０】
【図１】  トレンチ縁石と植樹帯の平面図。
【図２】  トレンチ縁石と植樹帯の断面図。
【図３】  車道表面の散水エリヤ平面図。
【図４】  車道表面の散水エリヤ断面図。
【符号の説明】
【００１１】  １．トレンチ縁石
２．グレーチングふた
３．フィルター材
４．オーバーフロウ管
５．散水栓
６．散水管
７．給水管
８．雨水地下貯留タンク
９．散水ポンプ
１０、歩道側
１１、車道表面
１２、散水の水
１３、揚水管
１４、トレンチ縁石基礎ブロック
１５、植樹帯縁石
１６、植樹帯
１７、散水エリヤ
１８、戻り水
１９、センターライン
【図１】
2005232939.tif 000003
【図２】
2005232939.tif 000004
【図３】
2005232939.tif 000005
【図４】
2005232939.tif 000006